(57)【特許請求の範囲】
【請求項１】
燃料タンクで発生する蒸発燃料を吸着するキャニスタと前記燃料タンクとを接続する通路上に密閉弁が介装された密閉タンク式の蒸発燃料処理装置において、
前記キャニスタと外部とを接続する大気開放通路の閉塞状態を検出する検出部と、
前記検出部で前記閉塞状態が検出されたら前記密閉弁を開放し、前記閉塞状態が検出されなければ前記密閉弁を閉鎖する制御部と、を備え、
前記制御部が、前記閉塞状態が検出されたときの前記密閉弁の開放条件を前記閉塞状態が検出されないときの開放条件よりも緩和する
ことを特徴とする、蒸発燃料処理装置。
【請求項２】
前記制御部は、前記閉塞状態が検出されなければ、前記燃料タンクの圧力が第一圧力以上の場合に前記密閉弁を開放し、前記閉塞状態が検出されたら、前記燃料タンクの圧力が前記第一圧力よりも低い第二圧力以上の場合に前記密閉弁を開放する
ことを特徴とする、請求項１記載の蒸発燃料処理装置。
【請求項３】
前記制御部が、前記閉塞状態が検出されたときの前記密閉弁の閉鎖条件を前記閉塞状態が検出されていないときの閉鎖条件よりも強化する
ことを特徴とする、請求項１又は２記載の蒸発燃料処理装置。
【請求項４】
前記制御部は、前記閉塞状態が検出されなければ、前記燃料タンクの圧力が第三圧力未満の場合に前記密閉弁を閉鎖し、前記閉塞状態が検出されたら、前記燃料タンクの圧力が前記第三圧力よりも低い第四圧力未満の場合に前記密閉弁を閉鎖する
ことを特徴とする、請求項３記載の蒸発燃料処理装置。
【請求項５】
前記制御部が、直近の給油時からの経過時間に応じて、前記密閉弁の開閉状態を制御する
ことを特徴とする、請求項１〜４の何れか１項に記載の蒸発燃料処理装置。
【請求項６】
前記制御部が、前記燃料タンクに残留する燃料量に応じて、前記密閉弁の開閉状態を制御する
ことを特徴とする、請求項１〜５の何れか１項に記載の蒸発燃料処理装置。
【請求項７】
前記検出部が、前記キャニスタの内圧とエンジンの吸気系圧力とに基づき、前記閉塞状態を検出する
ことを特徴とする、請求項１〜６の何れか１項に記載の蒸発燃料処理装置。
【発明の詳細な説明】
【技術分野】
【０００１】
本発明は、燃料タンクで発生する蒸発燃料を吸着するキャニスタと燃料タンクとを接続する通路上に密閉弁が介装された密閉タンク式の蒸発燃料処理装置に関する。
【背景技術】
【０００２】
従来、燃料タンクで発生する蒸発燃料をキャニスタに吸着させ、その吸着燃料をエンジンの運転中に吸気系へとパージさせる蒸発燃料処理装置が知られている。すなわち、蒸発燃料を一時的にキャニスタで捕集しつつエンジンに吸引させて、蒸発燃料の大気中への放出を防止するものである。このような蒸発燃料処理装置が搭載されたエンジンでは、キャニスタから脱離する蒸発燃料量を考慮して、燃料噴射量や吸入空気量が制御される。
【０００３】
一方、近年では、走行用モータを主体的に使用して走行し、エンジンを補助的に使用するハイブリッド車両（PHEV，PHV）が開発されている。このようなハイブリッド車両は、エンジンのみを動力源とする車両と比較してエンジンの作動時間が短く、キャニスタに吸着された蒸発燃料をパージする機会が少ない。そこで、燃料タンクとキャニスタとを接続する通路上に密閉弁を設け、燃料タンクの密閉状態をできるだけ長く維持することで、燃料の蒸発やキャニスタへの吸着を抑制する技術が提案されている。
【０００４】
例えば、燃料タンクの内部圧力は、タンク内の温度が高くなるほど上昇し、燃料量が減少するにつれて低下する傾向を持つ。そこで、燃料タンクの内部圧力が所定圧力を超えない限り、密閉弁を常に閉鎖しておくことが考えられる。また、燃料タンクの給油時に内部圧力が大気圧よりも高くなっていると、フィラーキャップの開放時に補給口から燃料が吹き返すおそれがある。そこで、給油の直前に密閉弁を開放して、燃料タンクの圧抜きをすることも考えられる（特許文献１，２参照）。これらの制御を実施することで、燃料の蒸発やキャニスタへの吸着を抑制することができる。
【先行技術文献】
【特許文献】
【０００５】
【特許文献１】特開2015-081528号公報
【特許文献２】特開2014-092069号公報
【発明の概要】
【発明が解決しようとする課題】
【０００６】
ところで、上記のようなキャニスタの多くは大気開放されており、キャニスタに吸着された蒸発燃料が外気とともにエンジン側へと吸入される構造となっている。また、燃料タンク内の蒸発燃料をキャニスタに吸着させる際には、キャニスタ内の活性炭フィルタで蒸発燃料が取り除かれた後の空気を、大気開放通路から外部へと流出させるようになっている。この大気開放通路が異物の付着等によって狭められると、燃料タンクからキャニスタへの空気の流れが滞り、燃料タンク内の蒸発燃料をキャニスタ側へと流通させにくくなる。つまり、燃料タンクの内部圧力が上昇した場合に、その圧力を低下させにくくなり、部品保護性が低下しうる。また、燃料タンクの内部圧力が低下しにくくなることから、給油前の燃料タンクの圧抜き時間が延長され、利便性が低下しうる。
【０００７】
本件の目的の一つは、上記のような課題に鑑みて創案されたものであり、部品保護性を向上させた蒸発燃料処理装置を提供することである。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００８】
（１）ここで開示する蒸発燃料処理装置は、燃料タンクで発生する蒸発燃料を吸着するキャニスタと前記燃料タンクとを接続する通路上に密閉弁が介装された密閉タンク式の蒸発燃料処理装置である。本蒸発燃料処理装置は、前記キャニスタと外部とを接続する大気開放通路の閉塞状態を検出する検出部を備える。また、前記検出部で前記閉塞状態が検出されたら前記密閉弁を開放し、前記閉塞状態が検出されなければ前記密閉弁を閉鎖する制御部を備える。前記制御部は、前記閉塞状態が検出されたときの前記密閉弁の開放条件を前記閉塞状態が検出されないときの開放条件よりも緩和する。すなわち、前記閉塞状態が検出されたときには、前記閉塞状態が検出されないときと比較して、前記密閉弁に開放されやすい特性を与える。
なお、前記制御部は、前記閉塞状態が検出された場合に、前記密閉弁を開放することで前記燃料タンクを減圧するように機能することが好ましい。
【０００９】
（２）前記制御部は、前記閉塞状態が検出されなければ、前記燃料タンクの圧力が第一圧力以上の場合に前記密閉弁を開放することが好ましい。一方、前記閉塞状態が検出されたら、前記燃料タンクの圧力が前記第一圧力よりも低い第二圧力以上の場合に前記密閉弁を開放することが好ましい。すなわち、前記閉塞状態が検出されたときには、前記閉塞状態が検出されないときと比較して、前記密閉弁を開放するための下限閾値を低下させることが好ましい。
【００１０】
（３）前記閉塞状態が検出されたときの前記密閉弁の閉鎖条件を前記閉塞状態が検出されていないときの閉鎖条件よりも強化することが好ましい。すなわち、前記閉塞状態が検出されたときには、前記閉塞状態が検出されないときと比較して、前記密閉弁に閉鎖されにくい特性を与えることが好ましい。
（４）前記制御部は、前記閉塞状態が検出されなければ、前記燃料タンクの圧力が第三圧力未満の場合に前記密閉弁を閉鎖し、前記閉塞状態が検出されたら、前記燃料タンクの圧力が前記第三圧力よりも低い第四圧力未満の場合に前記密閉弁を閉鎖することが好ましい。なお、前記第三圧力は前記第一圧力よりも低い圧力であることが好ましい。
【００１１】
（５）前記制御部が、直近の給油時からの経過時間に応じて、前記密閉弁の開閉状態を制御することが好ましい。この場合、前記経過時間が所定時間未満の場合に前記密閉弁を開放し、前記経過時間が前記所定時間以上の場合に、前記密閉弁を閉鎖することが好ましい。
（６）前記制御部が、前記燃料タンクに残留する燃料量に応じて、前記密閉弁の開閉状態を制御することが好ましい。この場合、前記燃料量が所定量以上ならば前記密閉弁を開放し、前記燃料量が前記所定量未満ならば前記密閉弁を閉鎖することが好ましい。
【００１２】
（７）前記検出部が、前記キャニスタの内圧とエンジンの吸気系圧力とに基づき、前記閉塞状態を検出することが好ましい。
例えば、前記検出部は、前記キャニスタの内圧と前記吸気系圧力との差圧が所定差圧未満であることを以て前記閉塞状態を検出することが好ましい。なお、前記検出部は、前記キャニスタに吸着している前記蒸発燃料をエンジンに吸引させるキャニスタパージ制御中における前記差圧に基づいて、前記閉塞状態を検出することが好ましい。
【発明の効果】
【００１３】
大気開放通路が閉塞状態であるときに密閉弁を開放することで、燃料タンクを減圧することができ、部品保護性を向上させることができる。また、給油前における燃料タンクの圧抜き時間を短縮することができる。一方、大気開放通路が閉塞状態でなければ、密閉弁を閉鎖することで燃料の蒸発を抑制することができ、キャニスタへの燃料吸着量を減少させることができる。
【図面の簡単な説明】
【００１４】
【図１】蒸発燃料処理装置が適用された車両の構成を示す図である。
【図２】エンジン停止中の制御手順を例示するフローチャートである。
【図３】エンジン作動中の制御手順を例示するフローチャートである。
【図４】制御内容を説明するためのタイムチャートであり、（Ａ）は燃料タンクのタンク圧、（Ｂ）はキャニスタ圧、（Ｃ）は大気開放通路の閉塞状態、（Ｄ）〜（Ｆ）はそれぞれ密閉弁，バイパス弁，パージ弁の開閉状態を示す。
【発明を実施するための形態】
【００１５】
図面を参照して、実施形態としての蒸発燃料処理装置について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１６】
［１．装置構成］
本実施形態の蒸発燃料処理装置が適用された車両の構成を図１に例示する。この車両は、走行用モータの駆動力で走行するEV（Electric Vehicle）モードと、エンジン２１の駆動力を使用（又は併用）して走行するHEV（Hybrid Electric Vehicle）モードとを備えたハイブリッド車両である。エンジン２１の作動時には、燃料タンク５の内部から燃料がポンプで吸い上げられ、車両の走行状態に応じた量の燃料がインジェクタ２２から噴射される。また、吸入空気量は、吸気通路２３に介装されたスロットルバルブ２５で制御される。
【００１７】
このエンジン２１には、燃料タンク５で発生する蒸発燃料をキャニスタ６で回収して吸気系に導入するためのパージ用通路１０が装備される。パージ用通路１０には、燃料タンク５とエンジン２１の吸気系とを接続するタンク通路７と、タンク通路７からキャニスタ６に向かって分岐形成されたキャニスタ通路８とが設けられる。タンク通路７の一端は、燃料タンク５の例えば天井面付近や側面上部に接続され、他端は吸気通路２３に接続される。タンク通路７の接続位置は、スロットルバルブ２５よりも下流側（エンジン２１のシリンダに近い側）に設定される。また、キャニスタ通路８の一端は、キャニスタ６の上面に接続され、他端はタンク通路７に対して三叉路を形成するように接続される。
【００１８】
パージ用通路１０には、通路内における空気の流れを制御するための弁として、密閉弁１，バイパス弁２，パージ弁３が介装される。
密閉弁１は、燃料タンク５を密閉するための電磁制御弁であり、タンク通路７とキャニスタ通路８との分岐点よりも燃料タンク５に近い位置に配置される。密閉弁１は、基本的には常にタンク通路７を閉鎖して、燃料タンク５の密閉状態を維持するように機能する。また、燃料タンク５の内部圧力が上昇し過ぎた場合には一時的に開放される。本実施形態の密閉弁１は、制御信号の種類や大きさに応じてオン・オフ作動（開作動又は閉作動）する二位置切替弁である。
【００１９】
バイパス弁２は、キャニスタ通路８を開放又は遮断するための電磁制御弁であり、タンク通路７とキャニスタ通路８との分岐点に配置される。バイパス弁２は、キャニスタ６に蒸発燃料を吸着させたいときや、キャニスタ６で吸着された蒸発燃料をパージさせたいときに開放される。本実施形態のバイパス弁２は、密閉弁１と同様に、制御信号の種類や大きさに応じてオン・オフ作動する二位置切替弁である。
【００２０】
パージ弁３は、吸気通路２３に対してタンク通路７を開放又は遮断するための電磁制御弁であり、タンク通路７とキャニスタ通路８との分岐点よりも吸気通路２３に近い位置に配置される。パージ弁３は、基本的にはエンジン２１の作動中に、吸気通路２３に対してタンク通路７を開放するように制御される。また、エンジン２１の停止時には、タンク通路７を閉鎖するように制御される。本実施形態のパージ弁３は、制御信号の大きさに応じた開度でタンク通路７を開放する可変開度制御弁である。パージ弁３の開度は、エンジン２１の運転状態やキャニスタ６に吸着されている蒸発燃料量，燃料タンク５に残留する燃料量などに応じて設定可能である。
【００２１】
図１中に示すように、キャニスタ６の上面には、キャニスタ６と外部とを接続する大気開放通路９が取り付けられる。大気開放通路９は、燃料蒸気をキャニスタ６に吸着させる際の圧抜き通路として機能するとともに、キャニスタ６に吸着している燃料蒸気を吸気通路２３へと流出させる際の外気取り込み通路として機能する。また、大気開放通路９にはエアフィルタ２０が介装され、ここで外気中の異物が除去される。
【００２２】
また、密閉弁１を迂回して密閉弁１の上流側と下流側とを接続するように形成された迂回通路上には、リリーフ弁４が介装される。リリーフ弁４は、燃料タンク５の内部圧力の上限値PMAXを規定する安全弁である。密閉弁１よりも燃料タンク５側におけるタンク通路７の圧力が所定の上限値PMAX以下のときには、リリーフ弁４が閉鎖状態とされる。一方、密閉弁１よりも燃料タンク５側におけるタンク通路７の圧力が上限値PMAXを超えるとリリーフ弁４が開放され、燃料タンク５が圧抜きされる。これにより、燃料タンク５の内部圧力が上限値PMAXを越えて上昇することが防止される。
【００２３】
また、燃料タンク５には給油用の給油通路１９が設けられ、その先端がフィラーキャップ１７で閉塞されるとともに、フューエルリッド１６の内側まで延設される。燃料の給油時には、車両の乗員によってフューエルリッド１６が開放された後に、フィラーキャップ１７が回動操作されて取り外される。また、給油通路１９には、燃料の逆流や燃料蒸気の流出を防止するための逆止弁１８が設けられる。逆止弁１８は、車両の外部から燃料タンク５に向かう方向への流体の流入を許容し、逆方向への流体の流出を阻止するように機能する。
【００２４】
上記の密閉弁１，バイパス弁２，パージ弁３の開閉状態（開度）は、コンピュータとして機能する制御装置３０で制御される。制御装置３０は、CPU（Central Processing Unit），MPU（Micro Processing Unit）等のプロセッサとROM（Read Only Memory），RAM（Random Access Memory），不揮発メモリ等を集積した電子デバイスである。ここでいうプロセッサとは、例えば制御ユニット（制御回路）や演算ユニット（演算回路），キャッシュメモリ（レジスタ）等を内蔵する処理装置（プロセッサ）である。また、ROM，RAM及び不揮発メモリは、プログラムや作業中のデータが格納されるメモリ装置である。制御装置３０で実施される制御の内容は、ファームウェアやアプリケーションプログラムとしてROM，RAM，不揮発メモリ，リムーバブルメディア内に記録される。また、プログラムの実行時には、プログラムの内容がRAM内のメモリ空間内に展開され、プロセッサによって実行される。
【００２５】
この制御装置３０には、キャニスタ圧センサ１１，インマニ圧センサ１２，タンク圧センサ１３，エンジン回転数センサ１４，リッド開放センサ１５が接続される。キャニスタ圧センサ１１は、キャニスタ６の内圧に対応する大気開放通路９の内部圧力を「キャニスタ圧C」として検出するものである。ここでは、キャニスタ６に内蔵される活性炭フィルタとエアフィルタ２０との間の圧力が検出される。また、インマニ圧センサ１２は、吸気通路２３においてスロットルバルブ２５よりも下流側に設けられたサージタンク２４の内部圧力を「インマニ圧PIM（吸気系圧力）」として検出するものである。ここでは、吸気通路２３とタンク通路７との接続箇所近傍における圧力（負圧の大きさ）が検出される。
【００２６】
タンク圧センサ１３は、燃料タンク５の内部圧力（気体部分の圧力）を「タンク圧P」として検出するものである。タンク圧センサ１３は、燃料液面よりも上方となる位置に取り付けられる。また、エンジン回転数センサ１４は、エンジン２１の回転速度（エンジン回転数Ne）を検出するものである。リッド開放センサ１５は、フューエルリッド１６が開放されたことを検出する近接センサである。これらの各種センサ１１〜１５で検出された情報は、制御装置３０に伝達される。なお、キャニスタ圧センサ１１，インマニ圧センサ１２，タンク圧センサ１３のそれぞれで検出される圧力は、絶対圧であってもよいし、大気圧PATMを基準としたゲージ圧であってもよい。
【００２７】
［２．制御の内容］
本実施形態の制御装置３０は、タンク密閉制御，圧抜き制御，キャニスタパージ制御，タンクパージ制御，第二タンクパージ制御という五種類の制御を実施する。タンク密閉制御及び圧抜き制御は、エンジン２１が作動していない状態で実施可能な制御である。これに対し、残りの三種類の制御は、エンジン２１の作動中であって、エンジン２１の運転状態が比較的安定している場合に実施される。本実施形態では、エンジン２１の停止中にタンク密閉制御，圧抜き制御の何れかが実施され、エンジン２１の作動中には、キャニスタパージ制御，タンクパージ制御，第二タンクパージ制御の何れかが実施されるものとする。
【００２８】
［２−１．タンク密閉制御］
タンク密閉制御は、エンジン２１の停止中に密閉弁１を閉鎖することで、燃料タンク５で発生した燃料蒸気の流出を防止する制御である。このとき、パージ弁３も閉鎖状態に制御される。これにより、燃料タンク５は、エンジン２１の吸気通路２３に対して密閉弁１とパージ弁３とで二重に遮断される。なお、バイパス弁２の開閉状態は任意であり、本実施形態では開放状態に制御される。
【００２９】
［２−２．圧抜き制御］
圧抜き制御は、燃料タンク５の内部圧力が大気圧PATMに比して過剰に大きくならないように、密閉弁１とバイパス弁２を開放して燃料タンク５を圧抜きする制御である。圧抜き制御は、燃料タンク５への給油の直前に実施される。このとき、パージ弁３は閉鎖状態に制御される。密閉弁１とバイパス弁２とを開放することで、燃料タンク５からキャニスタ６の大気開放通路９を介して、外部へと向かう空気の流れが生じる。これにより、燃料タンク５のタンク圧Pが低下するとともに、燃料タンク５及びパージ用通路１０内に存在する燃料蒸気がキャニスタ６で回収される。
【００３０】
［２−３．キャニスタパージ制御］
キャニスタパージ制御は、エンジン２１の作動中にバイパス弁２を開放し、キャニスタ６に吸着している燃料蒸気を吸気通路２３へと吸い込ませることで、キャニスタ６を浄化（パージ）する制御である。キャニスタパージ制御は、エンジン２１の安定作動中であって、タンクパージ制御，第二タンクパージ制御が実施されていないときに実施される。なお、本実施形態のキャニスタパージ制御は、少なくとも大気開放通路９の閉塞状態が検出されていない場合に実施されるものとする。
【００３１】
この制御は、燃料蒸気をエンジン２１に消費させる制御であることから、パージ弁３が開放状態に制御される。パージ弁３の開度は、エンジン２１の運転状態に応じて調節される。一方、密閉弁１は閉鎖状態に制御される。つまり、吸気通路２３に対してキャニスタ６が連通した状態となり、燃料タンク５は遮断される。これにより、パージ用通路１０から吸気通路２３へと導入される燃料蒸気は、キャニスタ６からの燃料蒸気のみとなるため、燃料蒸気量の推定精度が向上し、エンジン２１の制御性が向上する。
【００３２】
［２−４．タンクパージ制御，第二タンクパージ制御］
タンクパージ制御，第二タンクパージ制御は、エンジン２１の作動中に密閉弁１を開放し、燃料タンク５内の燃料蒸気を吸気通路２３へと吸い込ませることで、燃料タンク５をパージ（浄化）する制御である。この制御では、パージ弁３が開放状態に制御されるとともに、バイパス弁２が閉鎖状態に制御される。つまり、吸気通路２３に対して燃料タンク５が連通した状態となり、キャニスタ６は遮断される。これにより、パージ用通路１０から吸気通路２３へと導入される燃料蒸気は、燃料タンク５からの燃料蒸気のみとなるため、燃料蒸気量の推定精度が向上し、エンジン２１の制御性が向上する。
【００３３】
第二タンクパージ制御には、タンクパージ制御よりも開始されやすく、終了しにくい特性が与えられる。すなわち、タンクパージ制御の開始条件と比較して、第二タンクパージ制御の開始条件は、やや緩和された（甘めに設定された）条件とされる。また、タンクパージ制御の終了条件と比較して、第二タンクパージ制御の終了条件は、やや強化された（厳しめに設定された）条件とされる。このように、第二タンクパージ制御では、タンクパージ制御よりも密閉弁１に開放されやすく、閉鎖されにくい特性が与えられる。
【００３４】
本実施形態における、タンクパージ制御及び第二タンクパージ制御のそれぞれについての開始条件，終了条件を以下に例示する。タンクパージ制御は、条件Ａ，Ｂがともに成立した場合に開始され、条件Ｃ，Ｄの何れかが成立した場合に終了する。一方、第二タンクパージ制御は、条件Ｅ〜Ｇの全てが成立した場合に開始され、条件Ｈ，Ｉの何れかが成立した場合に終了する。なお、条件Ａは、例えばエンジン２１の冷却水温が所定値以上であり、エンジン回転数Neが安定している場合に成立するものとする。ただし、燃料噴射量の学習中や高負荷時（インマニ圧PIMが負圧でないとき）には、条件Ａが成立しないものとする。
【００３５】
＝タンクパージ制御の開始条件＝
Ａ．エンジン２１が作動中、かつ、運転状態が安定している
Ｂ．タンク圧Pが第一圧力P1以上である（ただしP1＜PMAX）
＝タンクパージ制御の終了条件＝
Ｃ．エンジン２１が停止、又は、運転状態が安定していない
Ｄ．タンク圧Pが第三圧力P3未満である（ただしP3＜P1）
【００３６】
＝第二タンクパージ制御の開始条件＝
Ｅ．エンジン２１が作動中、かつ、運転状態が安定している
Ｆ．直近の給油時からの経過時間が所定時間未満である
Ｇ．タンク圧Pが第二圧力P2以上である（ただしP2＜P1）
＝第二タンクパージ制御の終了条件＝
Ｈ．エンジン２１が停止、又は、運転状態が安定していない
Ｉ．タンク圧Pが第四圧力P4未満である（ただしP4＜P2，P4＜P3）
【００３７】
このように、第二タンクパージ制御を開始して密閉弁１を開放するための下限閾値P2は、タンクパージ制御を開始して密閉弁１を開放するための下限閾値P1よりも低い値に設定される。また、第二タンクパージ制御を終了して密閉弁１を閉鎖するための上限閾値P4は、タンクパージ制御を終了して密閉弁１を閉鎖するための上限閾値P3よりも低い値に設定される。本実施形態における制御の名称と密閉弁１，バイパス弁２，パージ弁３の開閉状態との関係をまとめると、以下の通りである。
【００３８】
【表１】
0006578787.tif 000002
【００３９】
［３．制御構成］
上記の各種制御を実施するための制御構成として、制御装置３０には、検出部３１と制御部３２とが設けられる。これらは、制御装置３０で実行されるプログラムの一部の機能を示すものであり、ソフトウェアで実現されるものとする。ただし、各機能の一部又は全部をハードウェア（電子制御回路）で実現してもよく、あるいはソフトウェアとハードウェアとを併用して実現してもよい。
【００４０】
検出部３１は、大気開放通路９の閉塞状態（詰まり具合）を検出するものである。ここでは、エアフィルタ２０への異物付着や大気開放通路９への異物進入によって、大気開放通路９が塞がった状態になっているか否かが判断される。検出部３１で検出される閉塞状態には、空気が全く流通しない状態（完全に閉塞された状態）だけでなく、空気が流れにくくなっている状態（部分的に閉塞された状態）も含まれる。
【００４１】
本実施形態の検出部３１は、キャニスタパージ制御の実施中に、キャニスタ圧Cとインマニ圧PIMとに基づいて大気開放通路９の閉塞状態を検出する。例えば、キャニスタ圧Cとインマニ圧PIMとの差圧（C-PIM）を算出し、この差圧の絶対値が所定差圧未満になった場合に、大気開放通路９が閉塞状態であると判断する。あるいは、キャニスタ圧Cとインマニ圧PIMとの圧力比（C/PIM）を算出し、この圧力比が所定比率未満になった場合に、大気開放通路９が閉塞状態であると判断する。ここでの判定結果は、制御部３２に伝達される。
【００４２】
大気開放通路９に詰まりが生じていなければ、キャニスタ圧Cはほぼ大気圧PATMと同一の値を持つ。これに対し、大気開放通路９に詰まりが生じているときにキャニスタ６と吸気通路２３とが連通状態になると、キャニスタ６から吸気通路２３へと吸い込まれる空気量と比較して、大気開放通路９からキャニスタ６へと流入する空気量が減少する。そのため、吸気通路２３に吸い込まれる空気量が増大するにつれてキャニスタ圧Cが低下し、最終的にはインマニ圧PIMに近い値となりうる。
【００４３】
したがって、キャニスタパージ制御の実施中に、キャニスタ圧Cの値がインマニ圧PIMの値に近づく度合いを計測することで、大気開放通路９の詰まり具合を推定することができる。また、キャニスタ圧Cの比較対象をインマニ圧PIMとすることで、大気圧PATMを参照せずに大気開放通路９の詰まり具合を推定でき、車両の走行高度の高低に関わらず、大気開放通路９の閉塞状態を高精度に検出可能となる。なお、大気開放通路９の詰まり具合は、キャニスタパージ制御の実施中でなくても検出することは可能である。例えば、圧抜き制御におけるタンク圧Pの低下速度が所定速度未満である場合に、大気開放通路９が閉塞状態であると判断してもよい。
【００４４】
制御部３２は、上記のタンク密閉制御，圧抜き制御，キャニスタパージ制御，タンクパージ制御，第二タンクパージ制御を実施するものである。ここでは、各制御の開始条件，終了条件が判定され、制御の種類に応じて密閉弁１，バイパス弁２，パージ弁３の開閉状態が制御される。
本実施形態の制御部３２は、検出部３１で大気開放通路９の閉塞状態が検出された場合に、密閉弁１を開放する制御を実施する。すなわち、制御部３２は閉塞状態が検出されたときの密閉弁１の開放条件を、閉塞状態が検出されないときの密閉弁１の開放条件よりも緩和する機能を持つ。また、制御部３２は、大気開放通路９の閉塞状態が検出されたときの密閉弁１の閉鎖条件を、閉塞状態が検出されないときの密閉弁１の閉鎖条件よりも強化する機能を持つ。
【００４５】
本実施形態の制御部３２は、大気開放通路９の閉塞状態で密閉弁１を開放するための手段として、第二タンクパージ制御を用いる。例えば、閉塞状態が検出されていない状態では、燃料タンク５のタンク圧Pが第一圧力P1以上まで上昇したときに、タンクパージ制御を開始する。このとき、第二タンクパージ制御の要否は判定しない。これに対し、閉塞状態が検出されている状態では、タンクパージ制御の代わりに第二タンクパージ制御の要否を判定する。すなわち、燃料タンク５のタンク圧Pが第二圧力P2以上まで上昇したときに、第二タンクパージ制御を開始する。タンクパージ制御，第二タンクパージ制御は、開始条件及び終了条件が異なるものの、制御内容は同一である。したがって、閉塞状態の有無によって、制御条件が変更されることになる。
【００４６】
第二タンクパージ制御で密閉弁１を開放するための下限閾値P2は、タンクパージ制御で密閉弁１を開放するための下限閾値P1よりも低い値であり、第二タンクパージ制御はタンクパージ制御よりも開始条件が緩和されている。また、第二タンクパージ制御を終了して密閉弁１を閉鎖するための上限閾値P4は、タンクパージ制御を終了して密閉弁１を閉鎖するための上限閾値P3よりも低い値であり、第二タンクパージ制御はタンクパージ制御よりも終了条件が強化されている。このように、密閉弁１に開放されやすく閉鎖されにくい特性を与えることで、大気開放通路９の閉塞状態における燃料タンク５が減圧されやすくなり、燃料タンク５の部品保護性が向上する。
【００４７】
また、制御部３２は、直近の給油時からの経過時間、又は燃料タンク５の内部に残留する燃料量に応じて、密閉弁１の開閉状態を制御する機能を持つ。例えば、直近の給油時からの経過時間が所定時間未満である場合、制御部３２は、第二タンクパージ制御の開始条件が成立するか否かを判定する。一方、直近の給油時からの経過時間が所定時間以上である場合、制御部３２は、タンクパージ制御の開始条件が成立するか否かを判定する。つまり、直近の給油時から所定時間以上が経過している場合には、燃料がいわゆる「枯れた」状態（揮発成分の全体に占める割合が低下し、燃料が蒸発しにくくなった状態）となっている可能性が高いものと判断し、大気開放通路９の閉塞状態が検出されたとしても第二タンクパージ制御を実施せず、タンクパージ制御の要否を判定する。
【００４８】
燃料タンク５内の燃料量に応じて密閉弁１の開閉状態を制御する場合、制御部３２は、燃料量が所定量以上である場合に、第二タンクパージ制御の開始条件が成立するか否かを判定する。一方、燃料量が所定量未満の場合には、たとえ燃料タンク５内で燃料が蒸発したとしてもタンク圧Pが上昇しにくいものと判断し、タンクパージ制御の開始条件が成立するか否かを判定する。これにより、残り少ない燃料が燃料タンク５内の減圧によってさらに蒸発してしまうことが抑制される。
【００４９】
［４．フローチャート］
図２，図３は、上記の各種制御を実施するための制御手順を例示するフローチャートである。図２はおもにエンジン２１の停止中の制御内容に対応し、図３はおもにエンジン２１の安定作動中の制御内容に対応する。これらのフロー中の制御フラグFは、タンクパージ制御又は第二タンクパージ制御の実施状況を示すものであり、何れかの制御の実施中にはF=1に設定される。
図２に示すように、まず各種センサ１１〜１５で検出された情報が制御装置３０に入力され（ステップＡ１）、エンジン２１が作動中であるか否かが判定される（ステップＡ２）。ここで、エンジン２１が作動中であればステップＡ７に進み、停止中ならばステップＡ３に進む。エンジン２１の作動状態は、エンジン回転数Ne，インマニ圧PIM，冷却水温，車速，要求トルク，燃料噴射量，吸入空気量などに基づき、公知の手法を用いて判定される。
【００５０】
ステップＡ３では、フューエルリッド１６が開放されているか否かが判定され、開放されていれば圧抜き制御が実施される（ステップＡ４）。圧抜き制御では、密閉弁１とバイパス弁２とが開放され、燃料タンク５が圧抜きされる。一方、フューエルリッド１６が開放されていなければ、タンク密閉制御が実施される（ステップＡ５）。タンク密閉制御では、密閉弁１とパージ弁３とが閉鎖され、燃料タンク５で発生した燃料蒸気の流出が防止される。ステップＡ４，Ａ５に続くステップＡ６では制御フラグFがF=0に設定され、この演算周期での制御が終了する。また、エンジン２１が作動中ならば、その運転状態が安定しているか否かが判定され（ステップＡ７）、安定している場合には、図３中のステップＡ１１に進む。一方、エンジン２１の運転状態が安定していない場合には、ステップＡ６に進み、制御フラグFがF=0に設定されて、この演算周期での制御が終了する。なお、エンジン２１の運転状態は、エンジン回転数Ne，インマニ圧PIM，冷却水温，車速，要求トルク，燃料噴射量，吸入空気量などに基づき、公知の手法を用いて判定される。
【００５１】
図３のステップＡ１１では、制御フラグFがF=0であるか否かが判定され、この条件が成立する場合にはステップＡ１２に進み、成立しない場合にはステップＡ２１に進む。
ステップＡ１２では、検出部３１が大気開放通路９の閉塞状態を検出しているか否かが判定される。ここで、閉塞状態が検出されていなければ、タンクパージ制御の開始条件Ｂが判定され（ステップＡ１４）、閉塞状態が検出されていれば直近の給油時からの経過時間が所定時間未満であることを条件として（ステップＡ１３）、第二タンクパージ制御の開始条件Ｇが判定される（ステップＡ１５）。このように、密閉弁１を開放するための条件は、大気開放通路９の閉塞状態に応じて、あるいは、直近の給油時からの経過時間に応じて切り替えられる。
【００５２】
タンクパージ制御の開始条件Ｂが成立した場合にはタンクパージ制御が開始され（ステップＡ１６）、密閉弁１及びパージ弁３が開放状態に制御されるとともに、バイパス弁２が閉鎖状態に制御される。また、第二タンクパージ制御の開始条件Ｇが成立した場合にも、タンクパージ制御と同様に、第二タンクパージ制御が開始される（ステップＡ１８）。ステップＡ１６，Ａ１８に続くステップＡ１９，Ａ２０では制御フラグFがF=1に設定され、この演算周期での制御が終了する。一方、ステップＡ１４で上記の開始条件Ｂが成立しない場合にはキャニスタパージ制御が実施され（ステップＡ１７）、密閉弁１が閉鎖状態に制御されるとともに、バイパス弁２及びパージ弁３が開放状態に制御される。
【００５３】
なお、キャニスタパージ制御は、少なくとも大気開放通路９の閉塞状態が検出されておらず（ステップＡ１２）、かつ、タンク圧Pが第一圧力P1未満であるとき（ステップＡ１４）に実施される。一方、大気開放通路９の閉塞状態が検出されている場合には、キャニスタパージ制御が不実施とされる。例えば、直近の給油時からの経過時間が所定時間以上である場合にはステップＡ２６に進み、上記の開始条件Ｂが成立した場合にはタンクパージ制御が開始される。一方、タンクパージ制御の開始条件Ｂが成立しない場合には何れの制御も実施されることなく、この演算周期での制御が終了する。ステップＡ１５で上記の開始条件Ｇが成立しない場合も同様であり、何れの制御も実施されることなく、この演算周期での制御が終了する。
【００５４】
ステップＡ１１でF=1である場合、タンクパージ制御，第二タンクパージ制御の終了条件がステップＡ２１以降で判定される。まず、ステップＡ２１では、ステップＡ１２と同様に、大気開放通路９の閉塞状態が検出されているか否かが判定され、閉塞状態が検出されていなければ、タンクパージ制御の終了条件Ｄが判定され（ステップＡ２２）、閉塞状態が検出されていれば、第二タンクパージ制御の終了条件Ｉが判定される（ステップＡ２３）。このように、密閉弁１を閉鎖するための条件は、大気開放通路９の閉塞状態に応じて切り替えられる。
タンクパージ制御の終了条件Ｄが成立した場合にはタンクパージ制御が終了し（ステップＡ２４）、制御フラグFがF=0に設定されて、この演算周期での制御が終了する。また、第二タンクパージ制御の終了条件Ｉが成立した場合には第二タンクパージ制御が終了し（ステップＡ２５）、制御フラグFがF=0に設定されて、この演算周期での制御が終了する。
【００５５】
［５．作用，効果］
大気開放通路９の閉塞状態に基づく制御について、図４（Ａ）〜（Ｆ）を用いて説明する。時刻t0にキャニスタパージ制御の開始条件が成立すると、バイパス弁２，パージ弁３が開放状態に制御され、密閉弁１が閉鎖状態に制御される。このとき、大気開放通路９が閉塞された状態であれば、図４（Ｂ）に示すように、大気圧PATMとほぼ同圧力のキャニスタ圧Cが徐々に低下し、インマニ圧PIMに近づくように変化する。このようなキャニスタ圧Cの変化は制御装置３０の検出部３１で検出される。
【００５６】
時刻t1に大気開放通路９の閉塞状態が検出されると、タンクパージ制御よりも開始条件が緩和された第二タンクパージ制御の要否判定が実施される。すなわち、大気開放通路９の閉塞状態が検出されていない時刻t1以前は、タンク圧Pが第一圧力P1を越えていなければタンクパージ制御は開始されず、密閉弁１が閉鎖状態に制御されている。これに対し、大気開放通路９の閉塞状態が検出されている時刻t1以降は、タンク圧Pが第一圧力P1よりも低い第二圧力P2を越えていれば、キャニスタパージ制御が終了するとともに第二タンクパージ制御が開始され、密閉弁１が開放される。これにより、燃料タンク５のタンク圧Pが減圧される。時刻t2にタンク圧Pが第四圧力P4未満になると第二タンクパージ制御が終了し、キャニスタパージ制御の開始条件が成立していれば、キャニスタパージ制御が再開される。
【００５７】
（１）上記の蒸発燃料処理装置では、図４（Ａ）に示すように、タンク圧Pが第二圧力P2以上かつ第一圧力P1未満であるときに大気開放通路９の詰まりが検出されると、密閉弁１が開放状態に制御され、詰まりが検出されなければ密閉弁１が閉鎖状態に制御される。これにより、大気開放通路９が詰まっているときの燃料タンク５を減圧することができ、部品保護性を向上させることができる。一方、大気開放通路９が詰まった状態でなければ、密閉弁１を閉鎖しておくことで燃料の蒸発を抑制することができ、キャニスタ６への燃料吸着量を減少させることができる。
【００５８】
また、大気開放通路９が完全に詰まってしまうと、パージ弁３を開放しない限り、パージ用通路１０の内部圧力が抜けない状態となる。つまり、燃料タンク５のタンク圧Pが上昇してリリーフ弁４が作動したときにも、タンク圧Pを減圧させることができなくなる。これに対し、上記の蒸発燃料処理装置によれば、タンク圧Pをあらかじめ低下させておくことができる。また、タンク圧Pが通常時よりも低めに抑えられることから、圧抜き制御の実施時間を短縮することができる。したがって、給油前の圧抜き時間を削減することができる。
【００５９】
（２）大気開放通路９の閉塞状態に応じて密閉弁１を開放するための条件を緩和することで、燃料タンク５を減圧しやすくすることができる。これにより、燃料タンク５，タンク通路７，リリーフ弁４といったパージ用通路１０の部品保護性を向上させることができる。
（３）また、密閉弁１が開放される閾値としての圧力を、第一圧力P1から第二圧力P2へと低下させることで、より低圧の状態から燃料タンク５の減圧を開始することができる。したがって、部品保護性をさらに向上させることができる。また、減圧の開始閾値を低下させることでタンク圧Pの平均値も低下するため、圧抜き制御の実施時間を短縮することができる。
【００６０】
（４）大気開放通路９の閉塞状態に応じて密閉弁１を閉鎖するための条件を強化することで、燃料タンク５の減圧を終了しにくく（継続されやすく）することができる。これにより、部品保護性をさらに向上させることができる。
（５）また、密閉弁１が閉鎖される閾値としての圧力を、第三圧力P3から第四圧力P4へと低下させることで、燃料タンク５がより低圧の状態まで減圧を継続することができる。したがって、部品保護性をさらに向上させることができる。また、減圧の終了閾値を低下させることでタンク圧Pの平均値がさらに低下するため、圧抜き制御の実施時間をより短縮することができる。
【００６１】
（６）直近の給油時からの経過時間に応じて密閉弁１の開閉状態を制御することで、燃料の枯れ具合（燃料の蒸発しやすさ）と燃料タンク５の減圧頻度とを対応させることができ、タンク圧Pの上昇が見込まれる状況下で減圧を開始することができる。一方、タンク圧Pが上昇しにくい状況下（例えば、前回の給油から数ヶ月が経過しているような状況下）では減圧を不実施とすることで、燃料タンク５内における燃料のさらなる蒸発を抑制することができる。
【００６２】
（７）燃料タンク５内の燃料量に応じて密閉弁１の開閉状態を制御した場合も同様であり、燃料タンク５内に残留している燃料量と燃料タンク５の減圧頻度とを対応させることができる。
（８）なお、キャニスタ圧Cとインマニ圧PIMとに基づいて閉塞状態を検出することで、大気開放通路９の閉塞状態（詰まり具合）を精度よく把握することができる。また、キャニスタ圧Cの比較対象をインマニ圧PIMとすることで、大気圧PATMを参照せずに大気開放通路９の詰まり具合を把握することができ、車両の走行高度の高低に関わらず、大気開放通路９の閉塞状態を高精度に検出することができる。
【００６３】
［６．変形例］
上述の実施形態では、大気開放通路９の閉塞状態が検出されたときに、タンクパージ制御の開始条件，終了条件を変更することで密閉弁１の開閉状態を制御するものを例示したが、密閉弁１を開閉するための具体的な手法はこれに限定されない。例えば、タンク圧Pを減圧するための圧抜き通路をパージ用通路１０とは別設し、圧抜き通路上に介装された第二密閉弁の開閉状態を大気開放通路９の詰まり具合に応じて制御してもよい。この場合、大気開放通路９の詰まりが検出されたときに第二密閉弁を開放することで、燃料タンク５を減圧することができ、部品保護性を向上させることができる。
【００６４】
上述の実施形態では、密閉弁１及びバイパス弁２が二位置切替弁となっており、パージ弁３が可変開度制御弁となっているが、これらの弁の種類は任意に変更可能であり、弁開度の設定についても同様である。例えば、エンジン２１の運転状態やキャニスタ６に吸着されている蒸発燃料量，燃料タンク５に残留する燃料量などに応じたそれぞれの開度を設定することで、燃料蒸気の流通量（エンジン２１への導入量）を精度よく調節することができる。なお、上述の実施形態では、閉塞状態の有無（塞がった状態になっているか否か）に応じて密閉弁１の開閉状態を制御するものを例示したが、閉塞の度合い（詰まり具合）に応じて密閉弁１の開度を制御してもよい。
【００６５】
なお、上述の実施形態において、大気開放通路９の閉塞状態が検出されたことを乗員に報知，警告する制御を追加し、キャニスタ６の清掃，修理，交換を促すようにしてもよい。この場合、大気開放通路９の閉塞状態に対応する情報をダイアグ情報として制御装置３０内に記録してもよいし、閉塞状態に対応する情報を車室内に設けられたディスプレイ装置に表示させてもよく、あるいは報知ランプ類を点灯させてもよい。このような制御を実施することで、車両の整備性を向上させることができる。
【符号の説明】
【００６６】
１  密閉弁
２  バイパス弁
３  パージ弁
４  リリーフ弁
５  燃料タンク
６  キャニスタ
７  タンク通路
８  キャニスタ通路
９  大気開放通路
１０  パージ用通路
３０  制御装置
３１  検出部
３２  制御部
C  キャニスタ圧
P  タンク圧
PIM  インマニ圧
【図１】
0006578787.tif 000003
【図２】
0006578787.tif 000004
【図３】
0006578787.tif 000005
【図４】
0006578787.tif 000006